(57)【要約】      （修正有）【課題】印刷対象として選択された用紙に応じた画像処理を、画像に対して行う。【解決手段】画像処理装置が、用紙に関する情報を蓄積する用紙情報蓄積手段２２と、利用者による、前記用紙への画像の印刷の指示を受け付ける印刷指示受付手段２０と、前記利用者が印刷対象として選択した前記用紙に関する情報を前記用紙情報蓄積手段から取得する用紙情報取得手段２３と、前記印刷に先立って、前記用紙情報蓄積手段により取得された前記用紙に関する情報に応じて前記画像に鮮鋭度についての画像処理を行う画像処理手段２５と、を有する。【選択図】図２
2014092995.tif 000002
【特許請求の範囲】
【請求項１】
用紙に関する情報を蓄積する用紙情報蓄積手段と、
利用者による、前記用紙への画像の印刷の指示を受け付ける印刷指示受付手段と、
前記利用者が印刷対象として選択した前記用紙に関する情報を前記用紙情報蓄積手段から取得する用紙情報取得手段と、
前記印刷に先立って、前記用紙情報蓄積手段により取得された前記用紙に関する情報に応じて前記画像に鮮鋭度についての画像処理を行う画像処理手段と、
を有する画像処理装置。
【請求項２】
前記用紙情報取得手段が、前記用紙に関する情報として前記用紙の色再現域に関する情報を取得し、
前記画像処理手段が、前記色再現域が狭いほど、前記鮮鋭度が高く反映された前記画像処理を行う、
ことを特徴とする請求項１に記載の画像処理装置。
【請求項３】
前記用紙情報取得手段が、前記用紙に関する情報として前記用紙の光沢度に関する情報を取得し、
前記画像処理手段が、前記光沢度が低いほど、前記鮮鋭度が高く反映された前記画像処理を行う、
ことを特徴とする請求項１又は請求項２に記載の画像処理装置。
【請求項４】
前記用紙情報取得手段が、前記用紙に関する情報として前記用紙の紙色に関する情報を取得し、
前記画像処理手段が、前記紙色が暗いほど、前記鮮鋭度が高く反映された前記画像処理を行う、
ことを特徴とする請求項１乃至３のいずれか一項に記載の画像処理装置。
【請求項５】
用紙に関する情報を蓄積する用紙情報蓄積手段、
利用者による前記用紙への画像の印刷の指示を受け付ける印刷指示受付手段、
前記利用者が印刷対象として選択した前記用紙に関する情報を前記用紙情報蓄積手段から取得する用紙情報取得手段、
前記印刷に先立って、前記用紙情報蓄積手段により取得された前記用紙に関する情報に応じて前記画像に鮮鋭度についての画像処理を行う画像処理手段、
としてコンピュータを機能させるためのプログラム。
【発明の詳細な説明】
【技術分野】
【０００１】
本発明は画像処理装置及びプログラムに関する。
【背景技術】
【０００２】
写真画像や映像に用いられる画像に対し、表示領域や紙媒体などへの出力前に補正処理を行う画像処理装置が存在する。特許文献１には、写真フィルムの種類に応じて、画像データに施す記録鮮鋭度強調処理の強度を変更する手段が開示されている。また、特許文献２には、原画像データの情報量と、出力用の画像の出力対象となるメディアの再現界情報との比較結果に基づいて画像処理の内容を変更する手段が開示されている。また、特許文献３には、複数の画像出力手段が出力する画像のシャープネスレベルを合わせる制御手段が開示されている。また、特許文献４には、表示画面の明るさ情報に応じて、彩度調整処理の内容を変化させる手段が開示されている。
【先行技術文献】
【特許文献】
【０００３】
【特許文献１】特開２００２−０７７６２１号公報
【特許文献２】特開２００３−２５００４１号公報
【特許文献３】特開２００７−００６１７１号公報
【特許文献４】特開２０１０−２５８７９９号公報
【発明の概要】
【発明が解決しようとする課題】
【０００４】
本発明は、印刷対象として選択された用紙に応じた画像処理を、画像に対して行うことを目的とする。
【課題を解決するための手段】
【０００５】
請求項１に記載の画像処理装置は、用紙に関する情報を蓄積する用紙情報蓄積手段と、利用者による、前記用紙への画像の印刷の指示を受け付ける印刷指示受付手段と、前記利用者が印刷対象として選択した前記用紙に関する情報を前記用紙情報蓄積手段から取得する用紙情報取得手段と、前記印刷に先立って、前記用紙情報蓄積手段により取得された前記用紙に関する情報に応じて前記画像に鮮鋭度についての画像処理を行う画像処理手段と、を有することを特徴とする。
【０００６】
請求項２に記載の画像処理装置は、前記用紙情報取得手段が、前記用紙に関する情報として前記用紙の色再現域に関する情報を取得し、前記画像処理手段が、前記色再現域が狭いほど、前記鮮鋭度が高く反映された前記画像処理を行う、ことを特徴とする。
【０００７】
請求項３に記載の画像処理装置は、前記用紙情報取得手段が、前記用紙に関する情報として前記用紙の光沢度に関する情報を取得し、前記画像処理手段が、前記光沢度が低いほど、前記鮮鋭度が高く反映された前記画像処理を行う、ことを特徴とする。
【０００８】
請求項４に記載の画像処理装置は、前記用紙情報取得手段が、前記用紙に関する情報として前記用紙の紙色に関する情報を取得し、前記画像処理手段が、前記紙色が暗いほど、前記鮮鋭度が高く反映された前記画像処理を行う、ことを特徴とする。
【０００９】
請求項５に記載のプログラムは、用紙に関する情報を蓄積する用紙情報蓄積手段、利用者による前記用紙への画像の印刷の指示を受け付ける印刷指示受付手段、前記利用者が印刷対象として選択した前記用紙に関する情報を前記用紙情報蓄積手段から取得する用紙情報取得手段、前記印刷に先立って、前記用紙情報蓄積手段により取得された前記用紙に関する情報に応じて前記画像に鮮鋭度についての画像処理を行う画像処理手段、としてコンピュータを機能させる、ことを特徴とする。
【発明の効果】
【００１０】
請求項１、５の発明によれば、印刷対象として選択された用紙に関する情報に応じて、鮮鋭度についての画像処理が、画像に対して行われる。
【００１１】
請求項２の発明によれば、用紙の色再現域が狭いほど、鮮鋭度が高く反映された画像処理が行われる。
【００１２】
請求項３の発明によれば、用紙の光沢度が低いほど、鮮鋭度が高く反映された画像処理が行われる。
【００１３】
請求項４の発明によれば、用紙の紙色が暗いほど、鮮鋭度が高く反映された画像処理が行われる。
【図面の簡単な説明】
【００１４】
【図１】本発明における画像処理装置を含む画像処理システムの一例を示す概略構成図である。
【図２】本発明の一実施形態における画像処理装置の機能ブロック図である。
【図３】用紙情報蓄積部に蓄積された、用紙に関する情報の一例を示す図である。
【図４】画像処理装置が実行する処理の一例を示すフロー図である。
【発明を実施するための形態】
【００１５】
以下、本発明の一実施形態について、図面を参照しながら説明する。図１は、本発明における画像処理装置１を含む画像処理システムＳの一例を示す概略構成図である。図１に示すように、画像処理システムＳは、画像処理装置１と、画像蓄積部２と、画像形成装置３と、操作部１４と、表示部１５と、を含んで構成される。
【００１６】
画像処理装置１は、例えばパーソナルコンピュータ等であり、利用者が使用する処理装置である。図１に示すように、画像処理装置１は、制御部１１と、記憶部１２と、通信部１３と、を含んで構成される。
【００１７】
制御部１１は、ＣＰＵ等を含んで構成される。制御部１１は、記憶部１２に格納されるプログラムに従って動作する。記憶部１２は、ＲＡＭやＲＯＭ等を含んで構成される。記憶部１２は、制御部１１によって実行されるプログラムを記憶する。また、記憶部１２は、制御部１１のワークメモリとしても機能する。
【００１８】
なお、記憶部１２は、コンピュータで読み取り可能な情報記憶媒体であればよく、例えば、ハードディスク等を含んで構成されるようにしてもよい。また、本実施形態では、制御部１１により実行されるプログラムが記憶部１２に記憶される場合を説明するが、当該プログラムは、例えばインターネット等の通信ネットワークを介して提供されるものであってもよいし、例えばＣＤ−ＲＯＭやＤＶＤ−ＲＯＭ等のコンピュータで読み取り可能な各種情報記憶媒体に格納されて提供されるものであってもよい。
【００１９】
通信部１３は、ネットワークカード等を含んで構成される。通信部１３は、制御部１１からの指示に従って、通信ネットワークを介して外部に各種情報を送信する。また、通信部１３は、画像処理装置１に到来する情報を、通信ネットワークを介して受信するとともに、制御部１１に出力する。画像処理装置１は、通信ネットワークを介して、画像蓄積部２及び画像形成装置３に接続される。
【００２０】
画像蓄積部２は、例えばデータベースサーバやハードディスク等である。画像蓄積部２には、画像処理装置１による画像処理の対象となる画像が蓄積されている。この、画像処理の対象となる画像は、デジタルカメラにより撮影された写真に限らず、種々の画像が適用可能である。
【００２１】
本実施形態においては、画像蓄積部２が、通信ネットワークを介して画像処理装置１に接続されている場合を例に挙げて説明するが、他にも例えば、画像蓄積部２は、コンピュータで読み取り可能な記憶媒体（例えば、フラッシュメモリ）であってもよい。この場合、当該記憶媒体に対応するインタフェースを介して、画像処理装置１は、画像の情報を取得することになる。
【００２２】
画像形成装置３は、画像処理装置１から送信された印刷の指示に基づいて、利用者が選択した用紙に画像を印刷する。画像形成装置３としては、具体的には例えば、レーザープリンタ等が挙げられる。当該画像形成装置３には、一以上の種類の用紙が、それぞれ種別に応じて、予め定められたトレイに格納されている。また、画像形成装置３は、各トレイに対応づけて、用紙ストックに関する情報、もしくは用紙プロファイルに関する情報を有していてもよい。
【００２３】
更に、図１に示すように、画像処理装置１の外部には、操作部１４と表示部１５が接続されている。操作部１４は、利用者による操作を受け付ける入力デバイスであり、例えばキーボードやマウス、操作ボタン等が用いられる。操作部１４としては、他にもタッチパネル等が用いられるようにしてもよく、公知の種々の入力デバイスが適用可能である。当該操作部１４が受け付けた操作内容は、制御部１１に出力される。表示部１５は例えばディスプレイ等であり、制御部１１からの指示に従って、画像を表示する。
【００２４】
なお、画像処理システムＳの構成は、上記の例に限られない。例えば、画像処理装置１は、上記構成以外の構成を含んでいてもよい。また、画像処理装置１は、他にも例えばプリントサーバ、画像画質補正機能を持つＲＩＰシステム、または、画像処理ソフトウェア、プリンタコントローラ、プリンタドライバ、もしくは画像補正アプリケーションなどを有する装置であってもよい。更に、操作部１４と表示部１５は、画像処理装置１内に設けられたものであってもよい。
【００２５】
画像処理システムＳにおいては、利用者は、操作部１４を操作して、画像蓄積部２に蓄積された画像のうち画像形成装置３で印刷する画像と、当該画像が印刷される用紙とを選択する。利用者により画像が選択されると、画像形成装置３による印刷結果をシミュレートした画像が、表示部１５に表示される。利用者は表示された当該画像を確認し、例えば鮮鋭度補正などの補正指示を入力してもよい。
【００２６】
このように利用者が補正指示を入力することにより、補正内容が反映された画像が表示部１５に表示される。そして、利用者が操作部１４から印刷の指示を入力することにより、利用者が選択した用紙に関する情報に応じて当該画像に画像処理が行われる。その後、画像処理が行われた当該画像は、画像形成装置３により当該用紙に印刷される。
【００２７】
このように、画像処理システムＳにおいては、印刷に先立って、利用者が印刷対象として選択した用紙に関する情報に応じて画像処理を行う構成になっている。以降、当該処理を実現するための構成について詳細に説明する。
【００２８】
図２は、本発明の第１の実施形態における画像処理装置１の機能ブロック図である。図２に示すように、画像処理装置１は、印刷指示受付部２０と、画像取得部２１と、用紙情報蓄積部２２と、用紙情報取得部２３と、画像処理情報生成部２４と、画像処理部２５と、出力部２６と、を含んで構成されている。
【００２９】
図２に示す画像処理装置１の各機能は、記憶部１２に格納されているプログラムを制御部１１が実行することにより実現される。また、図２に示す機能のうち、用紙情報蓄積部２２は、記憶部１２において実現され、出力部２６は、通信部１３において実現される。
【００３０】
印刷指示受付部２０は、利用者による、用紙への画像の印刷の指示を受け付ける。この指示の内容とは、印刷指示と、利用者が選択した、印刷対象となる画像及び用紙に関する情報である。本実施形態における印刷指示受付部２０は、印刷対象となる画像に関する情報と、当該画像の印刷対象となる用紙に関する情報と、その画像を当該用紙に印刷する印刷指示とを、利用者からの指示内容として取得する。
【００３１】
画像取得部２１は、画像蓄積部２から画像に関する情報を取得する。画像取得部２１が取得する画像に関する情報は、画像蓄積部２に蓄積されたものに限られず、記憶部１２に予め記憶されたものであってもよい。また、画像取得部２１は、画像処理装置１に接続された他の装置（携帯電話、デジタルカメラ、スキャナ等）から、画像に関する情報を取得してもよい。
【００３２】
用紙情報蓄積部２２は、用紙に関する情報を蓄積する。この用紙に関する情報は、具体的には例えば、画像形成装置３の用紙ストックに関する情報、もしくは用紙プロファイルに関する情報から取得されたものである。
【００３３】
この用紙ストックに関する情報とは、画像形成装置３のトレイに対応づけて登録された、用紙種別（コート紙、非コート紙、再生紙など）、用紙坪量、用紙サイズ、用紙の色などの情報である。また、用紙プロファイルに関する情報とは、例えばＩＣＣプロファイルを示す。用紙プロファイルに関する情報は、具体的には、特定の用紙を使用した場合の、画像形成装置３における色再現特性を示す情報である。当該情報は、画像形成装置３における画像の印刷の際に、目的の色を出力するための色変換に用いられる。
【００３４】
上記の用紙ストックに関する情報、もしくは用紙プロファイルに関する情報から取得される、用紙に関する情報としては例えば、用紙種別に関する情報、色再現域に関する情報、光沢度に関する情報および紙色に関する情報が挙げられる。また、光沢度に関する情報が、用紙ストックに関する情報、もしくは用紙プロファイルに関する情報から取得されない場合は、用紙種別を元に光沢度を推測して用紙情報蓄積部２２に蓄積してもよい。
【００３５】
用紙種別に関する情報とは、用紙の種類に関する情報である。用紙の種類としては、例えば、非コート紙である普通紙、再生紙、原紙の表面に塗料がコーティングされたコート紙や光沢紙などが挙げられるが、その他の種類の用紙であってもよい。また、コート紙としては例えば、ミラーコート紙、グロスコート紙、マットコート紙が挙げられる。
【００３６】
本実施形態における色再現域に関する情報とは、用紙が表現できる色再現域の広さに関する情報である。また、光沢度に関する情報とは、用紙そのものが持っている光沢度に関する情報であり、具体的には例えば、白紙光沢度が挙げられる。また、紙色に関する情報は、印刷対象となる用紙の色や明るさに関する情報であり、具体的には例えば、白色、青色、黄色など色彩に関する情報や、明度の高さ、絶対白との色差の大きさが挙げられる。
【００３７】
用紙に関する情報の種類として例えば、上記の色再現域に関する情報、光沢度に関する情報、紙色に関する情報が挙げられる。また、用紙に関する情報は、上記の情報の他に、白色度、平滑度、インキ受理性などの情報を含んでいてもよい。
【００３８】
用紙情報蓄積部２２が用紙に関する情報を蓄積する方法としては、具体的には例えば、利用者が、予めトレイごとに定められた種別の用紙を画像形成装置３の各トレイに収納しておき、さらに、当該用紙に関する情報を当該用紙が収納されたトレイに紐づけて用紙情報蓄積部２２に入力しておく方法が挙げられる。これにより、各種用紙に関する情報が、トレイあるいは用紙種別に関する情報に対応づけられて用紙情報蓄積部２２に記憶される。
【００３９】
この場合、用紙種別に関する情報が、用紙に関する情報を一意に識別するための情報として用いられていてもよい。具体的には例えば、当該情報が、用紙の種別毎に付与された識別子として用いられる。これにより、各用紙種別に関する情報と、各用紙に関する各種情報（色再現域、光沢度、紙色など）とが対応づけられて、用紙情報蓄積部２２に記憶される。
【００４０】
図３は、用紙情報蓄積部２２に蓄積された、用紙に関する情報の一例を示す図である。図３に示すように、ここでは、「トレイ」フィールドと、「用紙種別」フィールドと、「色再現域の広さ」フィールドと、「光沢度」フィールドと、「紙色（明度）」フィールドと、を含むテーブルが用紙情報蓄積部２２に記憶される。
【００４１】
「トレイ」フィールドには、画像形成装置３の各トレイに関する情報が格納される。各トレイに関する情報として、具体的には例えば、各トレイに付与された識別子である番号が格納される。「用紙種別」フィールドには、用紙の種類に関する情報が格納される。具体的には例えば、「普通紙」、「コート紙」、「光沢紙」など、用紙種別が格納される。
【００４２】
「色再現域の広さ」フィールドには、具体的には例えば、色再現域の広さに関する情報が格納される。ここで色再現域の広さとは、用紙が表示可能な色の範囲をいう。「光沢度」フィールドには、用紙の光沢度に関する情報が格納される。また、「紙色（明度）」フィールドには、用紙の紙色に関する情報として、例えば、用紙の明度に関する情報が格納される。この紙色に関する情報としては、明度以外にも、例えば、用紙の色彩に関する情報や、絶対白との色差などであってもよい。このように、本実施形態の用紙情報蓄積部２２には、用紙種別のそれぞれに対応付けて、用紙に関する各種情報を蓄積が蓄積される。
【００４３】
用紙情報取得部２３は、利用者が印刷対象として選択した用紙に関する情報を用紙情報蓄積部２２から取得する。用紙情報蓄積部２２から取得される情報としては例えば、用紙の色再現域に関する情報や、用紙の光沢度に関する情報や、用紙の紙色に関する情報が挙げられる。
【００４４】
画像処理情報生成部２４は、利用者が選択した画像の印刷に先立って、用紙情報蓄積部２２により取得された用紙に関する情報に応じて、画像処理情報を生成する。ここで画像処理情報とは、利用者が選択した画像に対する画像処理において用いられる情報であり、具体的には、鮮鋭度補正などの、画像に施す補正処理の内容である。このような画像処理情報としては例えば、利用者が表示部１５に表示された画像を確認して指示した各種補正係数（補正パラメータ）を、用紙に関する情報に応じて補正したものや、画像処理情報生成部２４に予め設定された各種補正係数を、用紙に関する情報に応じて補正したものや、それらの組み合わせが挙げられる。
【００４５】
一例として、画像処理情報生成部２４は、印刷対象となる用紙の色再現域に応じて画像処理情報を生成する。具体的には、印刷対象となる用紙の色再現域が狭いほど、鮮鋭度補正効果の高いパラメータを対応させた画像処理情報を生成する。また、画像処理情報生成部２４は、印刷対象となる用紙の光沢度が低く、また、紙色が暗いほど、鮮鋭度補正効果の高いパラメータを対応させた画像処理情報を生成してもよい。
【００４６】
また、光沢度が用紙情報蓄積部２２に蓄積されていない場合は、用紙種別を元に光沢度を推測し、その推測された光沢度が低いほど、鮮鋭度補正効果の高いパラメータを対応させてもよい。これらのような画像処理情報に応じて画像処理を行うことで、用紙の色再現域が狭く、光沢度が低く、また、紙色が暗いほど、鮮鋭度が高くなるように画像処理が行われる。また、補正情報は、上記の情報に限られず、白色度、平滑度、インキ受理性など、その他の情報や、これらの組み合わせに応じて生成されてもよい。
【００４７】
画像処理部２５は、印刷に先立って、用紙情報蓄積部２２により取得された用紙に関する情報に応じて画像に画像処理を行う。本実施形態では、画像処理部２５は、用紙に関する情報に応じて生成された画像処理情報に応じ、当該画像に画像処理を行う。
【００４８】
例えば、画像処理部２５は、印刷対象となる用紙の色再現域に応じて生成された画像処理情報に応じて画像処理を行う。具体的には例えば、画像処理部２５は、用紙の色再現域が狭いほど鮮鋭度が高くなるように画像処理を行い、色再現域が広いほど鮮鋭度が低くなるように画像処理を行う。
【００４９】
また、例えば、画像処理部２５は、印刷対象となる用紙の光沢度に応じて生成された画像処理情報に応じて画像処理を行う。具体的には例えば、画像処理部２５は、用紙の光沢度が低いほど鮮鋭度が高くなるように画像処理を行い、光沢度が高いほど鮮鋭度が低くなるように画像処理を行う。
【００５０】
また、例えば、画像処理部２５は、印刷対象となる用紙の紙色に応じて生成された画像処理情報に応じて画像処理を行う。具体的には例えば、画像処理部２５は、用紙の紙色が暗いほど鮮鋭度が高くなるように画像処理を行い、紙色が明るいほど鮮鋭度が低くなるように画像処理を行う。すなわち、画像処理部２５は、黄色や青色など有色の用紙を印刷対象として選択する場合に、白色の用紙よりも、鮮鋭度が高くなるように画像処理を行い、また、用紙の色と絶対白との色差が大きいほど、鮮鋭度が高くなるように画像処理を行う。
【００５１】
なお、これら、各用紙に関する情報に基づいて実行される画像処理自体は、鮮鋭度に関する補正のみならず、公知の種々の手法を適用してよい。このような画像処理としては、具体的には例えば、明るさ調整、色調補正、露出補正、コントラスト調整、レベル補正およびガンマ補正等が挙げられる。
【００５２】
出力部２６は、画像処理部２５により画像処理が施された画像を出力する。本実施形態においては、出力部２６は、画像処理済みの画像を画像形成装置３に出力する。これにより、画像形成装置３は、当該画像を、利用者が選択した用紙に印刷する。
【００５３】
次に、画像処理装置１が実行する処理の流れについて説明する。図４は、画像処理装置１が実行する処理の一例を示すフロー図である。制御部１１が記憶部１２に記憶されたプログラムを実行することによって、図４に示す処理が行われる。
【００５４】
まず、制御部１１は、利用者による、用紙への画像の印刷指示を受け付ける（Ｓ１）。利用者は、操作部１４の操作により、印刷対象となる画像に関する情報と、当該画像の印刷対象となる用紙に関する情報と、その画像を当該用紙に印刷する印刷指示とを、利用者からの指示内容として入力する。具体的には、例えば、画像蓄積部２に蓄積された画像の一覧と、画像形成装置３のトレイに収納された用紙の種別を表示部１５に表示させ、当該一覧から利用者に画像と用紙を選択させるようにしてもよい。また、この際、画像形成装置３による印刷結果をシミュレートした画像を表示部１５に表示させ、表示された当該画像を確認した利用者が、例えば鮮鋭度補正などの補正指示を操作部１４から入力してもよい。
【００５５】
次いで、用紙情報取得部２３は、利用者が印刷対象として選択した用紙に関する情報を、用紙情報蓄積部２２から取得する（Ｓ２）。具体的には例えば、当該用紙が収納されたトレイに対応づけられて用紙情報蓄積部２２に記憶された当該用紙に関する情報を、用紙情報蓄積部２２から取得する。この際、制御部１１は、画像蓄積部２に蓄積された画像のうち、利用者により選択された画像を取得する。
【００５６】
次いで、画像処理情報生成部２４は、用紙情報取得部２３により取得された用紙に関する情報に応じて画像処理情報を生成する（Ｓ３）。具体的には、印刷対象となる用紙の色再現域が狭く、光沢度が低く、また、紙色が暗いほど、鮮鋭度補正効果の高いパラメータを対応させた画像処理情報を生成する。
【００５７】
用紙に関する情報に応じて画像処理情報を生成する方法としては、例えば、利用者の指示内容として入力可能な補正係数の大きさが５段階である場合、各用紙の種別に応じた補正係数を、５つよりも多くの補正係数の中から、各段階に対応させる方法が挙げられる。具体的には例えば、予め＋１〜＋８までの、８段階の補正係数を設定しておき、コート紙の場合は＋１〜＋５の補正係数を５段階の補正係数として用い、普通紙の場合は＋２、＋４、＋６、＋７、＋８の補正係数を５段階の補正係数として用いる方法が挙げられる。
【００５８】
このような構成によれば、例えば画像の印刷指示において、利用者が印刷対象としてコート紙を選択し、かつ、５段階の補正係数のうち３段階目を補正の指示内容として入力した場合は、「＋６」の補正係数が用いられる。また、利用者が普通紙を印刷対象として、上記指示内容と同じ指示を入力した場合は「＋３」の補正係数が用いられる。画像処理情報を生成する方法はこのような方法に限られず、例えば、各用紙種別に応じて、予め異なる大きさの補正係数をそれぞれ設定していてもよい。
【００５９】
次いで、画像処理部２５は、画像処理情報に応じて画像に画像処理を行う（Ｓ４）。これにより、画像処理部２５は、印刷対象となる用紙の色再現域が狭く、光沢度が低く、また、紙色が暗いほど、鮮鋭度が高くなるように画像処理を行う。
【００６０】
その後、制御部１１は画像形成装置３に出力指示を行う（Ｓ５）。これにより、画像処理は終了する。Ｓ５においては、当該画像処理が行われた画像が、印刷対象となる用紙に印刷されることによって、用紙に関する情報が反映された印刷が実行されることになる。
【００６１】
以上、本発明の一実施形態について説明したが、本発明は、以上に説明した実施の形態に限定されるものではなく、本発明の趣旨を逸脱しない範囲で、適宜変更可能である。
【符号の説明】
【００６２】
１  画像処理装置、２  画像蓄積部、３  画像形成装置、１１  制御部、１２  記憶部、１３  通信部、１４  操作部、１５  表示部、２０  印刷指示受付部、２１  画像取得部、２２  用紙情報蓄積部、２３  用紙情報取得部、２４  画像処理情報生成部、２５  画像処理部、２６  出力部、Ｓ  システム。
【図１】
2014092995.tif 000003
【図２】
2014092995.tif 000004
【図３】
2014092995.tif 000005
【図４】
2014092995.tif 000006